(57)【要約】【課題】押圧集中突起をメタルドームの頂点部に付着して一体化すると共に、押圧集中突起がメタルドームの頂点部表面に沿って流動することを防止することによって、キーボタンの押圧力を常に押圧集中突起を通じてメタルドームの頂点部に正確に伝達できる携帯電話用キーボードを提供する。【解決手段】本発明の携帯電話用キーボードは、前記メタルドーム１２の頂点部の上面に押圧集中突起１６を接着剤で付着し、前記メタルドーム１２と押圧集中突起１６にはそれぞれ、相互の嵌合により押圧集中突起１６がメタルドーム１２の頂点部表面に沿って流動することを防止する第１及び第２嵌合手段１２ａ、１６ａを形成したものである。【選択図】図４
2013149380.tif 000002
【特許請求の範囲】
【請求項１】
上面に複数の固定接点が形成された印刷回路基板と、印刷回路基板上に配置されて縁部が両側の固定接点に常に接触され、頂点部が弾性変形及び復元することによって、中央の固定接点に接触または離間してスイッチング機能を行うドーム状のメタルドームと、印刷回路基板上に配置されてメタルドームを受容するスペーサーと、スペーサーの上面に位置されてメタルドームを固定する上部シートを備える携帯電話用キーボードにおいて、
前記メタルドームの頂点部の上面には押圧集中突起を接着剤で付着し、前記メタルドームと押圧集中突起にはそれぞれ、相互の嵌合により押圧集中突起がメタルドームの頂点部表面に沿って流動することを防止する第１及び第２嵌合手段を形成したことを特徴とする携帯電話用キーボード。
【請求項２】
上面に複数の固定接点が形成された印刷回路基板と、印刷回路基板上に配置されて縁部が両側の固定接点に常に接触され、頂点部が弾性変形及び復元することによって、中央の固定接点に接触または離間してスイッチング機能を行うドーム状のメタルドームと、印刷回路基板上に配置されてメタルドームを受容するスペーサーと、スペーサーの上面に位置されてメタルドームを固定する上部シートを備える携帯電話用キーボードにおいて、
前記上部シートの下面には押圧集中突起を接着剤で付着し、前記メタルドームと押圧集中突起にはそれぞれ、相互の嵌合により押圧集中突起がメタルドームの頂点部表面に沿って流動することを防止する第１及び第２嵌合手段を形成したことを特徴とする携帯電話用キーボード。
【請求項３】
前記第１嵌合手段は前記メタルドームの頂点部を上方に突出させて形成した嵌合突起であり、前記第２嵌合手段は前記押圧集中突起に形成されてメタルドームの嵌合突起に嵌合される嵌合孔であることを特徴とする請求項１または２に記載の携帯電話用キーボード。
【請求項４】
前記第１嵌合手段は前記メタルドームの頂点部に下方に凹設した嵌合溝であり、前記第２嵌合手段は前記メタルドームの嵌合溝内に嵌合される押圧集中突起の外周面であることを特徴とする請求項１または２に記載の携帯電話用キーボード。
【発明の詳細な説明】
【技術分野】
【０００１】
本発明は携帯電話用キーボードに関するもので、より詳細にはキーボタンの真中部を正確に押さえる操作をしなくてもメタルドームの中央部が正常に弾性変形することによって、スイッチング機能が常に正確に行われ、クリック感も良好な状態に維持できる携帯電話用キーボードに関するものである。
【背景技術】
【０００２】
一般的に携帯電話用キーボードは図１に示したように、上面に複数の固定接点１ａ、１ｂが形成された印刷回路基板１と、この印刷回路基板１上に配置されて縁部が両側の固定接点１ｂに常に接触され、頂点部は弾性変形及び復元することによって、中央の固定接点１ａに接触または離間してスイッチング機能を行うドーム状のメタルドーム２と、印刷回路基板１上に配置されてメタルドーム２を受容するスペーサー３と、このスペーサー３の上面に配置され、接着剤４ａによりメタルドーム２が固着される上部シート４とから構成される。
【０００３】
したがって、メタルドーム２の上部に配置されたキーボタン５を押し下げた後に指を外すと、メタルドーム２の頂点部が下方に弾性変形して中央の固定接点１ａと接触した後、弾性復原力により再び元の位置に復帰して離間することでスイッチング機能を行う。
【０００４】
この時、キーボタン５の押圧力がメタルドーム２の頂点部に正確に到達しなければ、メタルドーム２の頂点部が正常に弾性変形しないようになる。すなわち、下方に反転したメタルドーム２の頂点部と中央の固定接点１ａがはっきりと接触して正確なスイッチング機能を行わないと、キーボタン５の押し操作時「かちっとする」良好なクリック感を維持できない。
【０００５】
このために従来には図１及び図２に示したように、メタルドーム２の頂点部に押圧集中突起６を接着剤７で付着して、キーボタン５の押圧力が押圧集中突起６を通じてメタルドーム２の頂点部に集中させることによって、正確なスイッチング機能を行うようにした。
【０００６】
しかし、前述した従来のキーボードは、ステンレススチール材質のメタルドーム２に合成樹脂材質の押圧集中突起６を接着剤７で付着する構成であるため、合成樹脂同士を接着する構成に比べて、接着力が低下する。このため、繰り返すメタルドーム２の弾性変形及び復元動作により押圧集中突起６がメタルドーム２から離れることが発生する。そして、離れた押圧集中突起６はメタルドーム２の上面に付着した上部シート４によりメタルドーム２の上方に離脱することが阻止されるが、図２に示したようにメタルドーム２の頂点部でその表面に沿って流動することを防止することは難しい。
【０００７】
また、図３に示したように、押圧集中突起６と同種の合成樹脂材質の上部シート４に押圧集中突起６を接着剤７で付着する構成は、同一材質の合成樹脂材からなるので、メタルドーム２より高い接着力を維持できる。しかし、押圧集中突起６をメタルドーム２と分離して形成した構成のため、これもやはり押圧集中突起６が上部シート４と共にメタルドーム２の頂点部でその表面に沿って流動することを防止することは難しい。
【０００８】
したがって、押圧集中突起６の流動によりキーボタン５の押圧力がメタルドーム２の頂点部に正確に到達しない場合が発生し、これによってメタルドーム２が正常に弾性変形しないため、スイッチング不良を招く。さらに、キーボタン５操作時のクリック感を顕著に低下させる問題がある。
【発明の概要】
【発明が解決しようとする課題】
【０００９】
本発明は前述したような従来の問題点を解決するためになされたもので、その目的は押圧集中突起をメタルドームの頂点部に付着して一体化すると共に、押圧集中突起がメタルドームの頂点部表面に沿って流動することを防止することによって、キーボタンの押圧力を常に押圧集中突起を通じてメタルドームの頂点部に正確に伝達できる携帯電話用キーボードを提供することにある。
【課題を解決するための手段】
【００１０】
前述の目的を達成するための本発明に係る携帯電話用キーボードは、上面に複数の固定接点が形成された印刷回路基板と、印刷回路基板上に配置されて縁部が両側の固定接点に常に接触され、頂点部が弾性変形及び復元することによって、中央の固定接点に接触または離間してスイッチング機能を行うドーム状のメタルドームと、印刷回路基板上に配置されてメタルドームを受容するスペーサーと、スペーサーの上面に位置されてメタルドームを固定する上部シートを備える携帯電話用キーボードにおいて、前記メタルドームの頂点部の上面には押圧集中突起を接着剤で付着し、前記メタルドームと押圧集中突起にはそれぞれ、相互の嵌合により押圧集中突起がメタルドームの頂点部表面に沿って流動することを防止する第１及び第２嵌合手段を形成したことを特徴とする。
【００１１】
また、本発明の他の態様に係る携帯電話用キーボードは、上面に複数の固定接点が形成された印刷回路基板と、印刷回路基板上に配置されて縁部が両側の固定接点に常に接触され、頂点部が弾性変形及び復元することによって、中央の固定接点に接触または離間してスイッチング機能を行うドーム状のメタルドームと、印刷回路基板上に配置されてメタルドームを受容するスペーサーと、スペーサーの上面に位置されてメタルドームを固定する上部シートを備える携帯電話用キーボードにおいて、前記上部シートの下面には押圧集中突起を接着剤で付着し、前記メタルドームと押圧集中突起にはそれぞれ、相互の嵌合により押圧集中突起がメタルドームの頂点部表面に沿って流動することを防止する第１及び第２嵌合手段を形成したことを特徴とする。
【００１２】
ここで、前記第１嵌合手段は前記メタルドームの頂点部を上方に突出させて形成した嵌合突起であり、前記第２嵌合手段は前記押圧集中突起に形成されてメタルドームの嵌合突起に嵌合される嵌合孔であることが好ましい。
【００１３】
さらに、前記第１嵌合手段は前記メタルドームの頂点部に下方に凹設した嵌合溝であり、前記第２嵌合手段は前記メタルドームの嵌合溝内に嵌合される押圧集中突起の外周面であることが好ましい。
【発明の効果】
【００１４】
前述の特徴的構成を有する本発明は、メタルドームと押圧集中突起に互いに嵌合された状態で、押圧集中突起がメタルドームの頂点部表面に沿って流動することを防止する第１及び第２嵌合手段を備えることによって、メタルドームに接着剤で付着した押圧集中突起が接着力の弱化により離れる場合にも、第１及び第２嵌合手段により押圧集中突起がメタルドームの頂点部でその表面に沿って流動することを防止できる。
【００１５】
また、本発明はメタルドームと押圧集中突起に互いに嵌合された状態で、押圧集中突起がメタルドームの頂点部表面に沿って流動することを防止する第１及び第２嵌合手段を備えることによって、押圧集中突起を上部シートに接着剤で付着してメタルドームと分離させて構成した場合にも、第１及び第２嵌合手段により押圧集中突起がメタルドームの頂点部でその表面に沿って流動することを防止できる。
【００１６】
したがって、押圧集中突起の流動を防止することによって、キーボタンの押圧力をメタルドームの頂点部に常に正確に伝達でき、これによってメタルドームが常に正常に弾性変形してスイッチング機能を正確に行い、キーボタン操作時のクリック感も常に優れた状態に維持できる。
【図面の簡単な説明】
【００１７】
【図１】従来の携帯電話用キーボードを示した断面図である。
【図２】従来の押圧集中突起をメタルドームに付着した状態を示した断面図である。
【図３】従来の押圧集中突起を上部シートに付着した状態を示した断面図である。
【図４】本発明の第１実施形態に係る携帯電話用キーボードを示した断面図である。
【図５】本発明の第１実施形態において接着剤で押圧集中突起をメタルドームに付着した一例を示した断面図である。
【図６】図５に示したメタルドームの平面図である。
【図７】本発明の第１実施形態において接着剤で押圧集中突起をメタルドームに付着した他の例を示した断面図である。
【図８】本発明の第１実施形態の一つの変形例を示した断面図である。
【図９】本発明の第１実施形態の他の変形例を示した断面図である。
【図１０】本発明の第２実施形態に係る携帯電話用キーボードを示した断面図である。
【図１１】本発明の第２実施形態において接着剤で押圧集中突起をメタルドームに付着した一例を示した断面図である。
【図１２】図１１に示したメタルドームの平面図である。
【図１３】本発明の第２実施形態において接着剤で押圧集中突起を上部シートに付着した状態を示した断面図である。
【発明を実施するための形態】
【００１８】
以下、本発明に係る携帯電話用キーボードを添付図面に基づいて詳細に説明する。
【００１９】
図４ないし図７は本発明の第１実施形態を示した図面である。図４に示したように本発明の携帯電話用キーボードは、上面に複数の固定接点１１ａ、１１ｂが形成された印刷回路基板１１と、印刷回路基板１１上に配置されて縁部が両側の固定接点１１ｂに常に接触され、頂点部は中央の固定接点１１ａに接触または離間することで、スイッチング機能を行うステンレススチール材質のドーム状メタルドーム１２と、印刷回路基板１１上に配置されてメタルドーム１２を受容するスペーサー１３と、スペーサー１３の上面に位置され、接着剤１４ａによりメタルドーム１２が固着される上部シート１４から構成される。
【００２０】
したがって、メタルドーム１２の上部に配置されたキーボタン１５を押し下げた後に指を外すと、メタルドーム１２の頂点部が下方に弾性変形して中央の固定接点１１ａと接触した後、弾性復原力により再び元の位置に復帰して離間することで、スイッチング機能を行う。一方、メタルドーム１２の頂点部下面には複数の下方接触突起１２ｂが形成されているので、中央の固定接点１１ａとの間に異物が介在する場合にも確実な接触が行われる。これによって、スイッチングの誤動作を防止するようになっている。
【００２１】
また、図５及び図６に示したように、メタルドーム１２の頂点部上面には、キーボタン１５の押圧力をメタルドーム１２の頂点部に集中させて伝達するための押圧集中突起１６が接着剤１７で付着されている。また、本発明に係る携帯電話用キーボードは、メタルドーム１２と押圧集中突起１６にそれぞれ形成され、相互の嵌合により押圧集中突起１６がメタルドーム１２の頂点部でその表面に沿って流動することを防止する第１及び第２嵌合手段を含んでいる。
【００２２】
第１実施形態において第１嵌合手段は、メタルドーム１２の頂点部を上方に突出させて形成した円状の嵌合突起１２ａであり、第２嵌合手段は押圧集中突起１６に形成されてメタルドーム１２の嵌合突起１２ａに嵌合される円状の嵌合孔１６ａである。
【００２３】
この時、嵌合突起１２ａと嵌合孔１６ａの形状は円状に限定するものではなく、互いに嵌合可能な形状であれば、他の形状に構成しても良い。また、嵌合突起１２ａは、図５に示したようにメタルドーム１２の頂点部を上方にプレス機による屈曲成形で形成したが、図７に示したようにメタルドーム１２の頂点部に孔を形成した後、孔の縁を上方に屈曲して形成しても良い。
【００２４】
このような構成を有した本発明の第１実施形態によれば、メタルドーム１２の頂点部に形成した嵌合突起１２ａが押圧集中突起１６の嵌合孔１６ａに嵌合され、メタルドーム１２の頂点部上面に押圧集中突起１６が接着剤１７で付着されることによって、繰り返すメタルドーム１２の弾性変形及び復元動作により接着剤１７の接着力が低下して、押圧集中突起１６がメタルドーム１２から離れる恐れがある。この場合、メタルドーム１２の上面に付着した上部シート１４は押圧集中突起１６がメタルドーム１２の上部、すなわちメタルドーム１２から離間する方向に離脱することを防止し、第１及び第２嵌合手段である嵌合突起１２ａと嵌合孔１６ａは押圧集中突起１６がメタルドーム１２の頂点部でその表面に沿って流動することを防止するので、押圧集中突起１６をメタルドーム１２の頂点部で流動せずにそのまま維持させることができる。
【００２５】
図８及び図９は第１実施形態の変形例を示した断面図であり、押圧集中突起１６を上部シート１４の下面に接着剤１７で付着した構成を除いて、残りの構成は図５及び図７に示した実施形態と全て同様である。したがって、同一の構成については図面に同一符号を付け、その構成に関する重複説明は省略する。
【００２６】
したがって、前述した変形例において、押圧集中突起１６はメタルドーム１２と分離された状態に構成したが、この実施形態では第１及び第２嵌合手段である嵌合突起１２ａを嵌合孔１６ａを嵌合する。これによって、押圧集中突起１６はメタルドーム１２の頂点部でその表面に沿って流動することが防止されるので、押圧集中突起１６をメタルドーム１２の頂点部にそのまま維持させることができる。
【００２７】
続いて、図１０ないし図１３は本発明の第２実施形態を示した図面である。第２実施形態においては、図１０及び図１１に示したように、第１嵌合手段は、メタルドーム１１２の頂点部に下方に凹設した嵌合溝１１２ａであり、第２嵌合手段はメタルドーム１１２の嵌合溝１１２ａ内に嵌合される押圧集中突起１１６の外縁面１１６ａである構成を除いて、残りの構成は第１実施形態と全て同様である。したがって、同一の構成については図面に同一符号を付け、その構成に関する重複説明は省略する。
【００２８】
この第２実施形態の構成においても、第１実施形態と同様に、メタルドーム１１２の頂点部に形成された嵌合溝１１２ａに押圧集中突起１１６の外縁面１１６ａを嵌合し、メタルドーム１１２の頂点部上面には接着剤１７で押圧集中突起１１６を付着することによって、繰り返すメタルドーム１１２の弾性変形及び復元動作により接着剤１７の接着力が低下して押圧集中突起１１６がメタルドーム１１２から離れる恐れがある。この場合、メタルドーム１１２の上面に付着した上部シート１４により押圧集中突起１１６がメタルドーム１１２の上部、すなわちメタルドーム１１２から離間する方向に離脱することを防止すると共に、第１及び第２嵌合手段である嵌合溝１１２ａと外縁面１１６ａにより押圧集中突起１１６がメタルドーム１１２の頂点部でその表面に沿って流動することを防止するようになる。したがって、押圧集中突起１１６をメタルドーム１１２の頂点部で流動せずにそのまま維持させることができる。
【００２９】
図１３は第２実施形態の変形例を示した断面図であり、押圧集中突起１１６を上部シート１４の下面に接着剤１７で付着した構成を除いて、残りの構成は図１１に示した実施形態と全て同様である。したがって、同一の構成については図面に同一符号を付け、その構成に関する重複説明は省略する。
【００３０】
前述した変形例においても、押圧集中突起１１６がメタルドーム１１２と分離された状態に構成したが、第１及び第２嵌合手段である嵌合溝１１２ａと外縁面１１６ａを嵌合することによって、押圧集中突起１１６はメタルドーム１１２の頂点部でその表面に沿って流動することが防止される。したがって、押圧集中突起１１６をメタルドーム１１２の頂点部にそのまま維持させることができる。
【００３１】
このように、第１及び第２実施形態とその変形例によれば、押圧集中突起１６、１１６とメタルドーム１２、１１２に互いに嵌合可能に形成された第１及び第２嵌合手段により、押圧集中突起１６、１１６がメタルドーム１２、１１２の頂点部でその表面に沿って流動することを防止することによって、キーボタン１５の押圧力がメタルドーム１２、１１２の頂点部に常に正確に伝えられる。これによってメタルドーム１２、１１２が常に正常に弾性変形してスイッチング機能を正確に行い、さらにキーボタン１５の操作時に良好なクリック感を維持できる。
【００３２】
以上をまとめると、本発明の課題は、押圧集中突起をメタルドームの頂点部に付着して一体化すると共に、押圧集中突起がメタルドームの頂点部表面に沿って流動することを防止することによって、キーボタンの押圧力を常に押圧集中突起を通じてメタルドームの頂点部に正確に伝達できる携帯電話用キーボードを提供することである。
【００３３】
そして、上記の解決手段として、本発明の携帯電話用キーボードは、上面に複数の固定接点１１ａ、１１ｂが形成された印刷回路基板１１と、印刷回路基板１１上に配置されて縁部が両側の固定接点１１ａ、１１ｂに常に接触され、頂点部が弾性変形及び復元することによって、中央の固定接点１１ａに接触または離間してスイッチング機能を行うドーム状のメタルドーム１２と、印刷回路基板１１上に配置されてメタルドーム１２を受容するスペーサー１３と、スペーサー１３の上面に位置されてメタルドーム１２を固定する上部シート１４を備える携帯電話用キーボードにおいて、前記メタルドーム１２の頂点部の上面に押圧集中突起１６を接着剤で付着し、前記メタルドーム１２と押圧集中突起１６にはそれぞれ、相互の嵌合により押圧集中突起１６がメタルドーム１２の頂点部表面に沿って流動することを防止する第１及び第２嵌合手段１２ａ、１６ａを形成したものである（図４を参照）。
【産業上の利用可能性】
【００３４】
以上のように、本発明によれば、メタルドームと押圧集中突起に互いに嵌合された状態で、押圧集中突起がメタルドームの頂点部表面に沿って流動することを防止する第１及び第２嵌合手段を備えることによって、メタルドームに接着剤で付着した押圧集中突起が接着力の弱化により離れる場合にも、第１及び第２嵌合手段により押圧集中突起がメタルドームの頂点部でその表面に沿って流動することを防止できる。従って、本発明の産業利用性はきわめて高いものといえる。
【００３５】
一方、本明細書内で本発明をいくつかの好ましい実施形態によって記述したが、当業者ならば、添付の特許請求範囲に開示した本発明の範疇及び思想から外れずに、多くの変形及び修正がなされ得ることがわかるはずである。
【符号の説明】
【００３６】
１１  印刷回路基板
１１ａ、１１ｂ  固定接点
１２  メタルドーム
１２ａ  嵌合孔
１１２ａ  嵌合溝
１３  スペーサー
１４  上部シート
１５  キーボタン
１６、１１６  押圧集中突起
１６ａ  嵌合孔
１１６ａ  外縁面
１７  接着剤
【図１】
2013149380.tif 000003
【図２】
2013149380.tif 000004
【図３】
2013149380.tif 000005
【図４】
2013149380.tif 000006
【図５】
2013149380.tif 000007
【図６】
2013149380.tif 000008
【図７】
2013149380.tif 000009
【図８】
2013149380.tif 000010
【図９】
2013149380.tif 000011
【図１０】
2013149380.tif 000012
【図１１】
2013149380.tif 000013
【図１２】
2013149380.tif 000014
【図１３】
2013149380.tif 000015